(57)【要約】【課題】岩盤浴用ベッドの使い勝手や清掃を容易なものとすること。【解決手段】本発明では、前後の支持体(2,3)の間に横臥台(4)を架設し、横臥台(4)の表面に岩盤(15)を敷設するとともに、横臥台(4)の内部に前記岩盤(15)を加熱するためのヒーター(13)を収容した岩盤浴用ベッド(1)において、横臥台(4)に半円形断面を有するドーム型の上カバー(21)を横臥台(4)を中心として上下回動自在に取付けるとともに、横臥台(4)及び上カバー(21)の前後端部間を前後カバー(25,26)で被覆することにした。【選択図】図１
2008284114.tif 000002
【特許請求の範囲】
【請求項１】
前後の支持体の間に横臥台を架設し、横臥台の表面に岩盤を敷設するとともに、横臥台の内部に前記岩盤を加熱するためのヒーターを収容した岩盤浴用ベッドにおいて、
横臥台に半円形断面を有するドーム型の上カバーを横臥台を中心として上下回動自在に取付けるとともに、横臥台及び上カバーの前後端部間を前後カバーで被覆したことを特徴とする岩盤浴用ベッド。
【請求項２】
前記横臥台に前後一対の支柱を取付けるとともに、支柱の上端部と横臥台の左右下端部に支持ローラーを回動自在に取付け、これらの支持ローラーで前後一対の支持リングを回動自在に外接支持し、前後の支持リングに前記上カバーを架設したことを特徴とする請求項１に記載の岩盤浴用ベッド。
【請求項３】
前記支柱に加湿器を連通連結するとともに、前記支柱の内側に供給口を形成したことを特徴とする請求項２に記載の岩盤浴用ベッド。
【請求項４】
前記上カバーに開口を形成するとともに、前記支持体に取付けた操作パネルを前記開口の直上方に配置したことを特徴とする請求項１〜請求項３のいずれかに記載の岩盤浴用ベッド。
【発明の詳細な説明】
【技術分野】
【０００１】
本発明は、岩盤浴用ベッドに関するものである。
【背景技術】
【０００２】
近年、麦飯石や電気石などの岩盤を加熱することによって岩盤から放出される遠赤外線やマイナスイオンを利用した岩盤浴が注目を集めている。
【０００３】
この岩盤浴では、入浴施設などの専用施設において、特殊構造の部屋内に架台を設置し、架台の表面に岩盤を敷設するとともに、架台の内部に岩盤を加熱するヒーターを収容したものが広く利用されてきているが、特に最近では、病院や介護施設や一般家庭においても岩盤浴を行うことができるようにするために、岩盤浴用ベッドも考案されている（たとえば、特許文献１参照。）。
【０００４】
この従来の岩盤浴用ベッドでは、前後の支持体の間に横臥台を架設し、横臥台の表面に岩盤を敷設するとともに、横臥台の内部に岩盤を加熱するためのヒーターを収容しており、しかも、横臥台の後側上部にドーム型の固定カバーを取付けるとともに、横臥台の前側上部にドーム型とスライドカバーを取付けて、スライドカバーを前後にスライド移動させることで、スライドカバーを開閉するようにしていた。
【０００５】
【特許文献１】特開２００６−２３０８１４号公報
【発明の開示】
【発明が解決しようとする課題】
【０００６】
ところが、上記従来の岩盤浴用ベッドでは、横臥台の上部に固定カバーとスライドカバーとを取付けた構造となっていたために、スライドカバーを開放した状態にしても、横臥台の後側上部が固定カバーで被覆されており、横臥台の上面全体を露出させることができない構造となっていた。
【０００７】
そのため、上記従来の岩盤浴用ベッドでは、固定カバーが障害となって、横臥台への昇降が困難であり、使い勝手が悪く、また、横臥台の後側上部の清掃が困難であった。
【課題を解決するための手段】
【０００８】
そこで、請求項１に係る本発明では、前後の支持体の間に横臥台を架設し、横臥台の表面に岩盤を敷設するとともに、横臥台の内部に前記岩盤を加熱するためのヒーターを収容した岩盤浴用ベッドにおいて、横臥台に半円形断面を有するドーム型の上カバーを横臥台を中心として上下回動自在に取付けるとともに、横臥台及び上カバーの前後端部間を前後カバーで被覆することにした。
【０００９】
また、請求項２に係る本発明では、前記請求項１に係る本発明において、前記横臥台に前後一対の支柱を取付けるとともに、支柱の上端部と横臥台の左右下端部に支持ローラーを回動自在に取付け、これらの支持ローラーで前後一対の支持リングを回動自在に外接支持し、前後の支持リングに前記上カバーを架設することにした。
【００１０】
また、請求項３に係る本発明では、前記請求項２に係る本発明において、前記支柱に加湿器を連通連結するとともに、前記支柱の内側に供給口を形成することにした。
【００１１】
また、請求項４に係る本発明では、前記請求項１〜請求項３のいずれかに係る本発明において、前記上カバーに開口を形成するとともに、前記支持体に取付けた操作パネルを前記開口の直上方に配置することにした。
【発明の効果】
【００１２】
そして、本発明では、以下に記載する効果を奏する。
【００１３】
すなわち、本発明では、前後の支持体の間に横臥台を架設し、横臥台の表面に岩盤を敷設するとともに、横臥台の内部に前記岩盤を加熱するためのヒーターを収容した岩盤浴用ベッドにおいて、横臥台に半円形断面を有するドーム型の上カバーを横臥台を中心として上下回動自在に取付けるとともに、横臥台及び上カバーの前後端部間を前後カバーで被覆しているために、上カバーを下方に回動させれば、横臥台の上面全体を開放させることができ、横臥台への昇降が容易となって岩盤浴用ベッドの使い勝手を向上することができるとともに、横臥台の上面を容易に清掃することができて岩盤浴用ベッドの清潔感を向上させることができる。
【００１４】
特に、横臥台に前後一対の支柱を取付けるとともに、支柱の上端部と横臥台の左右下端部に支持ローラーを回動自在に取付け、これらの支持ローラーで前後一対の支持リングを回動自在に外接支持し、前後の支持リングに上カバーを架設した場合には、上カバーを円滑に回動させることができ、上カバーの開閉動作を容易なものとすることができる。
【００１５】
また、支柱に加湿器を連通連結するとともに、支柱の内側に供給口を形成した場合には、上カバーを支持する支柱を加湿器の供給パイプとして有効に兼用することができ、岩盤浴用ベッドの構造を簡素化することができるので、製造が容易で安価な岩盤浴用ベッドとすることができる。
【００１６】
また、上カバーに開口を形成するとともに、支持体に取付けた操作パネルを開口の直上方に配置した場合には、横臥台に横臥した使用者が上カバーを装着したままの状態で操作パネルを操作することができるので、これによっても岩盤浴用ベッドの使い勝手を向上させることができる。
【発明を実施するための最良の形態】
【００１７】
以下に、本発明に係る岩盤浴用ベッドの具体的な構成について図面を参照しながら説明する。
【００１８】
図１〜図５に示すように、岩盤浴用ベッド１は、前後一対の支持体2,3の中途部間に矩形箱型状の横臥台４を架設している。
【００１９】
支持体2,3は、門型のフレーム５の左右下端部にキャスター6,6を着脱自在に取付けており、前側の支持体２には、フレーム５の上端中央部に操作パネル７を支持フレーム８を介して上下回動自在に装着している。
【００２０】
横臥台４は、中空矩形枠状のフレーム９の内側下部に網状の鉄筋10を左右一対のアングル11,11を介して着脱自在に取付けるとともに、鉄筋10の上部に断熱材12（発泡スチロール）を敷設し、断熱材12の上部にヒーター13を敷設し、ヒーター13の上部にマット14を敷設し、マット14の上部に岩盤15をモルタルを用いて接着している。ここで、ヒーター13は、岩盤15を加熱するためのものであり、岩盤15は、加熱により遠赤外線やマイナスイオンを発生する鉱石からできている。
【００２１】
このようにして、岩盤浴用ベッド１は、前後の支持体2,3の間に横臥台４を架設し、横臥台４の表面に岩盤15を敷設するとともに、横臥台４の内部に岩盤15を加熱するためのヒーター13を収容している。
【００２２】
そして、本発明に係る岩盤浴用ベッド１では、横臥台４のフレーム９の前後端上部中央に前後一対の中空状の支柱16,16を取付け、各支柱16の上端部に支持ローラー17を取付ける一方、フレーム９の前後端左右下端部に左右一対の支持ローラー18,18をブラケット19を介して取付け、これら前後各３個の支持ローラー17,18,18で矩形断面を有する円環状の前後一対の支持リング20,20を上下回動自在に外接支持し、前後の支持リング20,20に半円形断面を有するドーム型の上カバー21を取付けている。
【００２３】
このようにして、岩盤浴用ベッド１は、横臥台４に半円形断面を有するドーム型の上カバー21を横臥台４を中心として上下回動自在に取付けている。
【００２４】
この上カバー21は、ＦＲＰで形成し、内周面に遠赤外線の反射シートを貼着しており、前側中央部に平面視で矩形状の開口22を形成するとともに、外周面左右端部に把手23を取付けている。なお、上カバー21の開口22の近傍にはカーテン31を吊設している。
【００２５】
そして、岩盤浴用ベッド１では、支持体２に取付けた操作パネル７を上カバー21の開口22の直上方に配置して、横臥台４に横臥する使用者Ｐが上カバー21の内側から操作パネル７を操作できるようにしている。
【００２６】
また、岩盤浴用ベッド１は、左側のブラケット19にボールプランジャ24を取付け、ボールプランジャ24の先端部を支持リング20の内周面に形成した凹部（図示省略）に押圧している。これにより、支持リング20（上カバー21）の自重による回転を緩やかに規制している。
【００２７】
また、岩盤浴用ベッド１は、支持体2,3のフレーム５と横臥台４の前後端部との間に平板状の前後カバー25,26を取付けて、横臥台４と上カバー21の前後端部間を前後カバー25,26で被覆している。なお、前後カバー25,26の周縁部には鍔27を形成し、前後カバー25,26の前後周縁部を鍔27で上側から覆っている。
【００２８】
さらに、岩盤浴用ベッド１は、横臥台４の鉄筋10の後側下部に加湿器28を取付けるとともに、後側の支柱16の内側（前側）に供給口29を形成し、支柱16の中空部と加湿器28とを連通パイプ30で連通連結している。
【００２９】
岩盤浴用ベッド１は、以上に説明したように構成しており、把手23を持って上カバー21を上方へ向けて回動させると、図６(a)に示すように、横臥台４や使用者Ｐを上カバー21で覆うことができ、横臥台４と上カバー21と前後カバー25,26とで使用者Ｐを囲み、岩盤浴による温熱効果を向上させることができるとともに、加湿器28により湿度調整を行うことができるようになっている。また、把手23を持って上カバー21を下方へ向けて回動させると、図６(b)に示すように、横臥台４の上面全体を開放させることができ、使用者Ｐの横臥台４への昇降を容易なものとすることができるとともに、横臥台４の上面の清掃作業を容易なものとすることができる。
【００３０】
以上に説明したように、上記岩盤浴用ベッド１では、前後の支持体2,3の間に横臥台４を架設し、横臥台４の表面に岩盤15を敷設するとともに、横臥台４の内部に岩盤15を加熱するためのヒーター13を収容し、しかも、横臥台４に半円形断面を有するドーム型の上カバー21を横臥台４を中心として上下回動自在に取付けるとともに、横臥台４及び上カバー21の前後端部間を前後カバー25,26で被覆した構成となっている。
【００３１】
そのため、上記構成の岩盤浴用ベッド１では、上カバー21を下方に回動させれば、横臥台４の上面全体を開放させることができ、横臥台４への昇降が容易となって岩盤浴用ベッド１の使い勝手を向上することができるとともに、横臥台４の上面を容易に清掃することができて岩盤浴用ベッド１の清潔感を向上させることができる。
【００３２】
また、上記構成の岩盤浴用ベッド１では、横臥台４に前後一対の支柱16,16を取付けるとともに、支柱16,16の上端部と横臥台４の左右下端部に支持ローラー17,18,18を回動自在に取付け、これらの支持ローラー17,18,18で前後一対の支持リング20,20を回動自在に外接支持し、前後の支持リング20,20に上カバー21を架設しているために、上カバー21を円滑に回動させることができ、上カバー21の開閉動作を容易なものとすることができる。
【００３３】
また、上記構成の岩盤浴用ベッド１では、支柱16に加湿器28を連通連結するとともに、支柱16の内側に供給口29を形成しているために、上カバー21を支持する支柱16を加湿器28の供給パイプとして有効に兼用することができ、岩盤浴用ベッド１の構造を簡素化することができるので、製造が容易で安価な岩盤浴用ベッド１とすることができる。
【００３４】
また、上記構成の岩盤浴用ベッド１では、上カバー21に開口22を形成するとともに、支持体２に取付けた操作パネル７を開口22の直上方に配置しているために、横臥台４に横臥した使用者Ｐが上カバー21を装着したままの状態で操作パネル７を操作することができるので、これによっても岩盤浴用ベッド１の使い勝手を向上させることができる。
【図面の簡単な説明】
【００３５】
【図１】岩盤浴用ベッドの側面図。
【図２】同平面図。
【図３】同正面図。
【図４】同後部断面側面図。
【図５】同後部断面正面図。
【図６】同使用状態説明図。
【符号の説明】
【００３６】
１  岩盤浴用ベッド                      2,3  支持体
４  横臥台                              ５  フレーム
６  キャスター                          ７  操作パネル
８  支持フレーム                        ９  フレーム
10  鉄筋                                11  アングル
12  断熱材                              13  ヒーター
14  マット                              15  岩盤
16  支柱                                17,18  支持ローラー
19  ブラケット                          20  支持リング
21  上カバー                            22  開口
23  把手                                24  ボールプランジャ
25,26  前後カバー                       27  鍔
28  加湿器                              29  供給口
30  連通パイプ                          31  カーテン
Ｐ  使用者
【図１】
2008284114.tif 000003
【図２】
2008284114.tif 000004
【図３】
2008284114.tif 000005
【図４】
2008284114.tif 000006
【図５】
2008284114.tif 000007
【図６】
2008284114.tif 000008